【手続補正書】
【提出日】平成25年4月15日(2013.4.15)
【手続補正１】
【補正対象書類名】明細書
【補正対象項目名】全文
【補正方法】変更
【補正の内容】
【発明の詳細な説明】
【発明の名称】体内イオン比検知器
【技術分野】
【０００１】
本発明は、生体イオン比および非局所性イオン比が関わる体内イオン比状態および意識状態を意識認知科学的な視的動作として検知できるようにしたマンマシーンインターフェースとしての多目的な体内イオン比検知器に関する。
【背景技術】
【０００２】
空気イオンには「マイナスイオンＭＩ」および「プラスイオンＰＩ」（空気中でマイナスおよびプラスに帯電した微粒子が水分子集団と結合したイオンの総称）があり、それぞれの微粒子の組成は化学的に刻々と変動しながら存在する。（「非特許文献１」  Ｐ４６〜４８、  ７２、１０７参照）
【０００３】
従って、同じ環境のもとで、同一場所でも刻々と変動する空気イオン（非局所性イオン）のイオンバランス（マイナスイオン数／プラスイオン数＝非局所性イオン比）を測定するには、同軸２重円筒型のゲルディエン式のイオン測定器で同時にプラスイオン数・マイナスイオン数を測定しなければならない。
【０００４】
仮に、同軸２重円筒型のゲルディエン式イオン測定器でプラスイオン数・マイナスイオン数および非局所性イオン比を測定しても、それらが個々の生体にとってどのように影響しているのか分らないのが現状である。
【０００５】
従って、隣接する２軸の円筒型、交互切換の１軸円筒型の測定器では厳密には空気中の非局所性イオン比の測定はできないことになる。況や、平行平板式の簡易型空気イオン測定器は、プラス・マイナス切り替えモードで測定するので、測定の時系列が異なり、それぞれのデータをもって非局所性イオン比を比較しても定性的把握に留まり、本来的とは言えない。
【０００６】
われわれは、体液の恒常性（酸塩基反応および酸化還元反応）のもと、血液のｐＨ＝７．４±０．０５、電子活動度ｐｅ＝２．４±０．３の範囲で健康が維持されている。（「非特許文献１」  Ｐ１７１〜１７５参照）
【０００７】
即ち、人間の体液は、ｐＨ７．４前後のアルカリ性側に傾くことによって全ての臓器が正常に働き、人体の生理機能を遺憾なく発揮できる。これが乱れると病的状態の一因となる。（「非特許文献２」  Ｐ３２参照）
【０００８】
ところが、大気汚染空間、気密住空間、電磁場空間などにおいては、体液の酸性化要因となるプラスイオン傾向にある。（「非特許文献２」参照）その結果、国民の１／３が半健康状態にあるとされている。
【０００９】
そこで、この現状を単純に体液のアルカリ性化要因となるマイナスイオンの不足と捉え、各種のマイナスイオン発生機器が普及してきたが、そこではマイナスイオン数は多い程よいとされ勝ちである。
【００１０】
従って、これらの機器を使用しても、必ずしも本来の空気イオン比の改善、強いては生体イオン比の改善を果たしていないのが現状である。
【００１１】
ところで、古来精神を探るのに占い振り子が実施されてきた。しかし、決定的な理論的解明がなされないため、今日に至るまで非科学的な技術とされてきた。（「非特許文献３」  Ｐ３０、Ｐ４７、Ｐ１６参照）、（「非特許文献４」  Ｐ６４〜６５参照）
【００１２】
占い振り子の理論は確立されていないため、その構成条件に最も重要とされる支持部の材質、紐の材質、支持方法の明確化はもとより、環境状態、健康状態、意識状態の関わりが明らかにされていない。その結果、熟練者の固有技術のもと神経を集中して扱われてきたものの、動作に再現性が得られず非科学的技術とされてきた。また私意的に扱われ疑念を持たれることすらあった。
【００１３】
また、患部がどこか、検体が体に適合するかを判断するため医学的に実践されているＯ−リングテスト（米国知的所有権）（「非特許文献５」  Ｐ４参照）がある。
【００１４】
Ｏ−リングテストの基本は、第三者（テストのパートナー）の片方の手先（一般に左手で持った導電性棒）を検知したい被検者の部位に接触または非検知物質に近づけ、他方（一般に右手・利き手）の親指と人差し指で作った輪（Ｏリング）に検知者が作った同様な指の輪を相互に交差させて引っ張ってもらったとき、検知者のＯリングが開くかどうかで、検知部位の疾患または被検知物質が被検知者の体によいかを判断する。（「非特許文献５」  Ｐ３２参照）
【００１５】
Ｏリング理論の創始者によると、まだ生理学的にも、科学的にも完全に解明された訳ではないものの、電気的な何かが体内のセンサーに作用していることは明らかだが、その正体はまだ分っていない。（「非特許文献５」  Ｐ１１６、Ｐ１２７参照）、（「非特許文献６」参照）
【００１６】
従って、医学分野、食品衛生分野で熟練者の固有技術のもと活用されてきたが、第三者の介在を要する、動作原理が不明確な非科学的技術とされてきた。
【００１７】
これらに関わっている意識・無意識が科学的に解明されていこなかったことが、非科学技術とされてきた原因のひとつである。
【００１８】
従来の科学的方法では意識の直接性、主観性に対してはまだ歯が立たないが、無意識的な心を、認知神経科学の角度から探索することにより、意識と無意識の違いが、近未来の研究の方向性を占うことができる。（「非特許文献７」  Ｐ２２０〜２２１参照）
【００１９】
意識の問題を科学的に解決するためには、アインシュタインの重力理論と量子力学が統一されなければいけない。逆に重力理論と量子力学が統合できると意識の問題は解決する。（ロジャー  ぺン・ローズ）（「非特許文献８」  Ｐ２１１参照）
【先行技術文献】
【非特許文献】
【００２０】
【非特許文献１】小川俊雄  「マイナスイオン健康効果の原理」  ＳＴＩ出版  ２００２
【非特許文献２】堀口昇  「マイナスイオンが生命危機の時代を救う」  健友社  １９９６
【非特許文献３】堤裕司  「マインドテクノロジー（上）  ダウジングの秘密に迫る」  知玄舎  １９９９
【非特許文献４】ゲオルク・キルヒナー／新井明廣訳  「放射感知術ハンドブック  振り子と占い棒の謎を解く」  ビジネス社  １９９０
【非特許文献５】新井基夫  「Ｏ−リングの驚異」  祥伝社  １９９７
【非特許文献６】大村恵昭  「図説バイ・ディジタルＯ−リングテストの実習」  医道の日本社  １９８６
【非特許文献７】下條信輔  「意識とは何だろうか」  講談社現代新書  １９９９
【非特許文献８】天下伺朗・瀬名秀明共著  「心と脳の正体に迫る」  ＰＨＰ研究所  ２００５
【非特許文献９】ＳＭＢ研究会編  「トルマリン活用商品（二次素材）」  ２００２
【非特許文献１０】森  秀夫  「今、世界観が変わる」  ＱＩＴ  ２０１２．１２
【非特許文献１１】森  秀夫  「今、世界観が変わる」  ＱＩＴ  ２０１３．２（本特許に関わる技術内容は、電子書籍「非特許文献１０」または書籍「非特許文献１１」参照）
【発明の概要】
【発明が解決しようとする課題】
【００２１】
本発明の解決しようとする問題は、体内イオン比状態に起因する情報を体外に取り出し、体内イオン比に関わる、日常的な生体イオン比（健康状態）、非局所性イオン比（環境状態）および意識状態を簡便かつ視的に意識認知科学的な視的動作として検知できるようなマンマシーンインターフェースを提供することである。
【００２２】
逆に、本発明によって、新科学領域（外気力―重力変換理論、体内イオン比（気）学、意識・無意識の解明、意識認知科学、東西医学の部分融合など）を確立できる。
【００２３】
その結果、体内イオン比および意識が関わる生体未科学現象（ホメオスタシス・マイナスイオンの生体影響、ダウジング（占い振り子、Ｌロッド）、Ｏリング、意識・無意識、気・経絡・経穴など）の謎は本発明の体内イオン比検知器によって解明できる。
【００２４】
空気イオン（ＭＩ、ＰＩ）はイオン（帯電複合微粒子）特性を有するが、いわゆる量子とは異なる。また、その物理量が周期的に変化して空間方向に伝播する現象ではないので、いわゆる線形波動とも異なる。そこで、空気イオンのことを「非局所性イオン」（ＭＩ、ＰＩ）と称する。「非局所性イオン比」（ＭＩ／ＰＩ）は非局所性イオン（ＭＩ、ＰＩ）の集団的な傾向を捉えるための非周期的な数学的因子である。
【００２５】
健康のためには、マイナスイオン数が多ければよい訳ではなく、質的・量的に生体に望ましいマイナスイオンが求められている。体液の恒常性（ホメオスタシス）の観点から、個々の生体に望ましい非局所性イオン比がどうあるべきかが重要となる。本来は生体イオン比ＩＲＩｂに適応する非局所性イオン比ＭＩ／ＰＩが求められていることになる。
【００２６】
従って、生体に良い非局所性イオン比はあくまでも生体を介して感知されるべきものでる。そのために、生体イオン比ＩＲＩｂと非局所性イオン比ＭＩ／ＰＩとの相乗作用による体内イオン比ｆ（ＭＩ／ＰＩ）という概念を検知できることが重要となる。
【００２７】
そこで、日常的な生活環境、マイナスイオン発生機器の導入動機および導入効果の見極めなどのため、自らの生体イオン比状態、検知者が置かれている非局所性イオン比状態がどのような状態にあるのかを簡便に検知できるマンマシーンインターフェースが求められている。これは、従来の物理的なイオン測定器では解決せず、生体を介した体内イオン比検知器によってのみ可能となる。
【００２８】
また、水中のイオン測定が簡単にできない現状にあって、水（飲料水・風呂水・シャワー水・プール水・温泉水・潅水など）の非局所性イオン比（陰イオン総和／陽イオン総和）が生体に望ましいかどうかを知る簡便な方法、更にイオン発生物質（臓器器官、食品、薬品、鉱石など）が生体に望ましい状態かどうかを知る簡便な方法などに関しても、生体を介した検知器が求められる。
【００２９】
更に、意識・無意識を認知神経科学的に検知する方法に関しても、生体を介した検知器が求められる。
【課題を解決するための手段】
【００３０】
生体内の化学変化は、全てイオンレベルで反応し、体液の恒常性のもとでより良く機能する。そのイオンのもととなる非局所性イオンは空気・浴水などから無意識のうちに吸気的・経皮的に吸収され、また飲料水・食物を介して微量要素（ミネラルイオン）として無意識的または意識的に経口的に取り入れられている。
【００３１】
われわれは、謂わば「非局所性イオン場」の中で生活していることになる。 
【００３２】
従って、非局所性イオンにもとづく非局所性イオン比とは、本来は空気中の非局所性イオン比だけではなく、外的摂取する飲食物、浴水に起因する非局所性イオン比を含むが、その大半は環境条件により非周期的に変動する空気イオン（非局所性イオン）による。以下、空気中の非局所性イオン比のことを狭義の「非局所性イオン比」（ＭＩ／ＰＩ）とする。
【００３３】
即ち、非周期的に変動するマイナスイオンＭＩおよびプラスイオンＰＩを必然的に主として吸気的に吸収している。
【００３４】
従って、生体イオン比ＩＲＩｂと非局所性イオン比ＭＩ／ＰＩとの相乗作用にもとづく体内イオン比ｆ（ＭＩ／ＰＩ）の変動に伴って、体液、即ち細胞外液（血液および組織液）中には非周期的な陰陽イオンの流れ、即ち「血液イオン比流」、「組織液イオン比流」が流れている。これらを総称して「体内イオン比流」とする。
【００３５】
そこで、体内イオン比流が陰イオン優位となる必要条件は非局所性イオン比ＭＩ／ＰＩがマイナスイオン傾向のときであり、陽イオン優位となる必要条件はプラスイオン傾向のときである。
【００３６】
そして、「体内イオン比流増幅機能」によって体内イオン比流のイオンが逆比例的に増幅され、非周期的な負イオン優位または正イオン優位の流れが体外に放出され、手指末節掌側または他の皮膚表面に接した導電体を通じて「体外イオン比流」として流れる。
【００３７】
体内イオン比検知器「図２」の場合、検知者が手指（例えば、親指と人差し指）末節掌側で導電性多面体１を支持して導電性錘３を吊り下げると、非周期的な負イオン優位または正イオン優位の体外イオン比流が手指末節掌側から導電性鎖２を通じて導電性錘３に向けて放出される。
【００３８】
体内イオン比検知器「図３」の場合、検知者が両手の手指（例えば、親指と人差し指）末節掌側で導電性多面体１の対面をそれぞれ押さえると、非周期的な負イオン優位または正イオン優位の体外イオン比流が手指末節掌側から導電性多面体１に向けて放出される。
【００３９】
体内イオン比検知器「図１」の場合、検知者（検知者が被検知者と同じ場合は被検知者）が一方の手で導電性棒４の絶縁性被覆５を支持し、導電性棒４の先端を被検知者の検知部位に触れながら導電性錘３を吊下げると、非周期的な負イオン優位または正イオン優位の体外イオン比流が導電性棒４の接触皮膚面から導電性多面体１および導電性鎖２を通じて導電性錘３に向けて放出される。
【００４０】
体内イオン比検知器「図５」の場合、検知者（検知者が被検知者と同じ場合は被検知者）が一方の手で導電性棒４の絶縁性被覆５を支持し、導電性棒４の先端を被検知者の検知部位に触れながら導電性錘３を吊り下げると、非周期的な負イオン優位または正イオン優位の体外イオン比流が導電性鎖２を通じて導電性錘３に向けて放出される。
【００４１】
体内イオン比検知器「図６」の場合、検知者（検知者が被検知者と同じ場合は被検知者）が一方の手で導電性棒４の絶縁性被覆５を支持し、導電性棒４の先端を被検知者の検知部位に触れると、非周期的な負イオン優位または正イオン優位の体外イオン比流が導電性棒４の接触皮膚面から導電性多面体１に向けて放出される。
【００４２】
検体物質（検知水、飲食品、薬品、イオン発生鉱物など）がイオンを発生する場合、検知者の片方の手を検体に接触（漬ける、握る）しながら、検知者の他方の手指（例えば、親指と人差し指）末節掌側で体内イオン比検知器「図２」の導電性多面体１を支持して導電性錘３を吊り下げると、非周期的な負イオン優位または正イオン優位の体外イオン比流が手指末節掌側から導電性鎖２を通じて導電性錘３に向けて放出される。
【００４３】
いずれの場合も検知者（検知者が被検知者と同じ場合は被検知者）の意識状態に関わる神経修飾物質によって体内イオン比流増幅機能の作用が瞬時に切り替わり、体外イオン比流の方向が変わる。無意識・肯定的意識状態においては、体内イオン比ｆ（ＭＩ／ＰＩ）＞１（陰イオン傾向）のときは増幅された負イオン優位、ｆ（ＭＩ／ＰＩ）＜１（陽イオン傾向）のときは増幅された正イオン優位の非周期的な体外イオン比流が導電性物質（導電性多面体１または導電性棒４）を通じて体外に放出される。否定的意識状態においては、体内イオン比傾向とは逆のイオン、即ち陰イオン傾向のときは増幅された正イオン優位、陽イオン傾向のときは増幅された負イオン優位の体外イオン比流が放出される。
【００４４】
この非周期的な体外イオン比流は単なる直流や交流とは異なり、生体特有のイオン特性および非周期的な波動特性を有する。非局所性イオン場において手指末節掌側またはそれ以外の部位の皮膚面に接する導電性物質に放出された体外イオン比流では従来の電磁気学では言及されていない生体特有の法則に従って、体外イオン比流の方向に対応する非局所性イオン場の方向および体外イオン比力（外気力）の方向が決定する。
【００４５】
従って、体外イオン比流の方向の変化によって非局所性イオン場の方向、外気力の方向が変わるので、構成要素Ａ、Ｂ、Ｃ、Ｄのいずれかの組み合わせによる本発明の体内イオン比検知器は、非接触型または接触型のいずれにおいても接触する部位における体外イオン比流の方向、強いては体内イオン比流（血液イオン比流または組織液イオン比流）の方向および意識状態を物理的な変化として視的に検知することができる。
【００４６】
本発明によって、血液イオン比流の方向および意識状態は、体内イオン比検知器「図２」においては手指（例えば、親指と人差し指）末節掌側で導電性多面体１を支持して導電性錘3を吊り下げたときの回転動作、体内イオン比検知器「図３」においては両手の手指（親指および人指し指）末節掌側でそれぞれ対面を押さえながら相対に引っ張ったときの手指の開閉動作、のいずれかによって検知できる。
【００４７】
本発明によって、体内イオン比検知器（「図１」または「図５」）においては、組織液イオン比流の方向および意識状態は、検知者が一方の手で導電性棒４の絶縁性被覆５を支持し、被検知者の検知部位に導電性棒４の先端を触れながら導電性錘３を吊下げたときの回転動作、体内イオン比検知器（「図１」または「図６」）においては、検知者が一方の手で同様にしながら、他方の手指（例えば、親指と人差し指）末節掌側で導電性多面体１の対面を押さえながら外側に引っ張ったときの手指の開閉動作、のいずれかによって検知できる。
【００４８】
本発明の基本的な体内イオン比検知器「図２」の場合、つぎの通り検証できる。
【００４９】
体内イオン比検知器「図２」は、手指（例えば、親指と人差し指）末節掌側で支持懸垂すると、右回転、左回転、単振動のいずれかの動作、それらを組み合わせた不安定動作、または不能となる。
【００５０】
従って、体内イオン比検知器「図２」は、体内イオン比（生体イオン比および非局所性イオン比の相乗積）および意識状態によって動作が変わる。即ち、同じ非局所性イオン比でも、検知者の生体イオン比、意識状態によって動作が異なる。
【００５１】
即ち、体内イオン比検知器「図２」においては、外気力―重力変換理論に従って、非周期的な体外イオン比流の方向に対応する非局所性イオン場の方向、外気力の方向が決まる。
そして導電性多面体１の自由結合部６を支点にして右回転、左回転、単振動または不安定動作などの動作をする。
【００５２】
以下、説明が煩雑になるので、体内イオン比検知器「図２」における無意識・肯定的意識状態のときの動作について記す。
【００５３】
無意識・肯定的意識のとき、体内イオン比検知器「図２」は、生体イオン比ＩＲＩｂ、非局所性イオン比ＭＩ／ＰＩ、体内イオン比ｆ（ＭＩ／ＰＩ）とすると、ｆ（ＭＩ／ＰＩ）の領域によって動作が異なる。
【００５４】
体内イオン比検知器「図２」の動作は、「表１」体内イオン比検知器「図２」の動作の通り。ただし、無意識・肯定的意識のとき。
【表１】
2010029339.tif 000001
ただし、ｆ（ＭＩ／ＰＩ）＝ＩＲＩｂ×（ＭＩ／ＰＩ）
【００５５】
否定的意識の場合、無意識・肯定的意識の場合とは反対動作をする。ただし、単振動を意識すると単振動する、また停止を意識すると停止する。
【００５６】
尚、ｆ（ＭＩ／ＰＩ）＞１、ｆ（ＭＩ／ＰＩ）＜１は、生体影響の適・不適を決める必要条件ではあるが、十分条件ではない。これは、体液（血液、組織液）の恒常性（酸塩基反応および酸化還元反応）による。
【００５７】
本発明の基本的な体内イオン比検知器「図３」の場合、つぎの通り検証できる。
【００５８】
両手指（例えば、親指と人差し指）末節掌側を導電性多面体１の対面に対してそれぞれＣ型に支持し、両手を相対に引っ張ると、手指末節掌側に働く力Ｆ１と手指末節関節に働く力Ｆ２との合成力Ｆが働く。この合成力の方向によって指は開閉動作をする。ただし、体内イオン比（生体イオン比および非局所性イオン比の相乗積）および意識状態によって手指の開閉動作は異なる。即ち、同じ非局所性イオン比でも検知者の生体イオン比、意識状態によって手指の開閉動作が異なる。
【００５９】
無意識・肯定的意識の場合、ｆ（ＭＩ／ＰＩ）＞１のときは、両指の末節には内向きの合成力Ｆが働き、「ＣＬＯＳＥ」となり、ｆ（ＭＩ／ＰＩ）＜１のときは、両指の末節には外向きの合成力Ｆが働き「ＯＰＥＮ」となる。否定的意識の場合、無意識・肯定的意識のときとは、それぞれ反対動作となる。ただし、「ＣＬＯＳＥ」とはＣＬＯＳＥ傾向、「ＯＰＥＮ」とはＯＰＥＮ傾向のことを意味する。
【００６０】
体内イオン比検知器「図３」における指先の開閉は、「表２」体内イオン比検知器「図３」における手指の開閉動作の通り。
【表２】
2010029339.tif 000002
【００６１】
本発明によって被検知者が自己診断する場合、血液イオン比流による体内イオン比の検知は体内イオン比検知器（「図２」または「図３」）、組織液イオン比流による体内イオン比の検知は体内イオン比検知器（「図１」または「図５」）によって被検知者が自ら検知できる。
【００６２】
本発明によって医学的な検査の場合、体内イオン比検知器（「図１」または「図５」)を使用するのが望ましい。そして、体内イオン比検知器（「図１」または「図５」)の場合、医療検知者が一方の手で導電性棒４の絶縁性被膜５を支持し、導電性棒４の先端を被検知者の検知部位の当該経穴に触れながら、体内イオン比検知器の動作を検知する。体内イオン比検知器（「図１」または「図６」)の場合、医療検知者が一方の手で導電性棒４の絶縁性被膜５を支持し、導電性棒４の先端を被検知者の検知部位の当該経穴に触れながら、被検知者（または検知者の他方）の親指と人差し指で導電性多面体１の対面を押さえ軸と直角方向（または軸方向）に軽く引っ張ったときの指の開閉動作を検知する。ただし、「図１」の場合、双方を併用すると望ましい。
【発明の効果】
【００６３】
本発明の効果として、体内イオン比流は体内イオン比ｆ（ＭＩ／ＰＩ）状態によって異なることから、身の置かれている非局所性イオン比が生体にとって良い状態かどうかは、血液イオン比流および一般組織液イオン比流から複合的に検知することができる。
【００６４】
例えば、体内イオン比検知器「図２」を支持懸垂する部位による回転動作を視的確認することによって、ＩＲＩｂとｆ（ＭＩ／ＰＩ）の相関「表３」から身の置かれている非局所性イオン比ＭＩ／ＰＩが生体イオン比ＩＲＩｂにどのように影響しているかが分かる。即ち、身の置かれている非局所性イオン比状態が「検知者の体にとって良いのか、悪いのか」の必要十分条件は、この体内イオン比検知器の回転方向および回転速度によって、より的確に検知できる。
【００６５】
ＩＲＩｂとｆ（ＭＩ／ＰＩ）の相関は、「表３」ＩＲＩｂとｆ（ＭＩ／ＰＩ）の相関の通り。
【表３】
2010029339.tif 000003
ただし、基節欄は、手指末節掌側および経穴部位以外（例えば、中指と薬指の基節中央部近傍の間）で体内イオン比検知器「図２」を支持懸垂したときの動作。末節欄は、手指（例えば、親指と人差し指）末節掌側で体内イオン比検知器「図２」を支持懸垂したときの動作。日常的無意識を前提としているので、否定的意識の場合は逆動作となる。回転速度は、回転角度によって変速回転なので、同一回転角度における定性的なレベル表現である。
【００６６】
即ち、手指末節掌側で支持吊下したとき、右回転なら全て適、左回転なら全て不適とは言えない。「表３」から分るように１．７５≦ｆ（ＭＩ／ＰＩ）≦１０は右回転だが長期的には不適領域であり、０．６９≦ｆ（ＭＩ／ＰＩ）＜１．０領域は左回転だが適領域となる。
【００６７】
医療検知者は、体内イオン比検知器（「図１」、「図５」のいずれか）における回転動作、または体内イオン比検知器（「図１」、「図６」のいずれか）における手指の開閉動作によって、Ｏリングのときのように第三者を介在することなく、被検知者の体内イオン比状態を直接に診断することができる。「図１」による併用が望ましい。
【００６８】
体内イオン比検知器の動作原理を解明した結果、これらの体内イオン比検知器は、生体イオン比、非局所性イオン比および意識の三つの要因が相関的に関わって動作することが検証された。
特に、無意識状態における体内イオン比検知器の動作によって、検知者（検知者と披検知者が同じ場合は被検知者）にとっての体内イオン比状態、強いては生体イオン比、非局所性イオン比を意識認知科学的に検知することができる。即ち、体内イオン比検知器は、検知者（検知者と披検知者が同じ場合は被検知者）がいる非局所性イオン比における体内イオン比を視的に検知し得るマンマシーンインターフェースとして機能する。逆に、非局所性イオン比、意識状態から生体イオン比を検知することができる。更に、生体イオン比、非局所性イオン比から意識状態をも検知することができる。
【００６９】
検知できる非局所性イオン比の対象は、空気だけでなく水、イオン発生物質などを含む。
【００７０】
また、体内イオン比に変化を及ぼす用途（臓器の器質的・機能的異常チェック、食品チェック、薬品チェックなど）にも応用できることを示唆している。即ち、臓器機能が正常または体に適するとき体内イオン比はｆ（ＭＩ／ＰＩ）＞１、臓器機能が異常または体に不適のとき体内イオン比はｆ（ＭＩ／ＰＩ）＜１となるので相応の動作をする。
【００７１】
体内イオン比および意識が関わる生体未科学現象（ホメオスタシス・マイナスイオンの生体影響、ダウジング（占い振り子、Ｌロッド）、Ｏリング、意識・無意識、気・経絡・経穴など）の謎は、本発明の体内イオン比検知器によって全て検証できる。
【００７２】
逆に、これらの体内イオン比検知器によって、外気力―重力変換理論にもとづき新科学領域としての体内イオン比（気）学、意識認知科学を検証できる。
【図面の簡単な説明】
【００７３】
【図１】（Ａ＋Ｂ＋Ｃ＋Ｄ）構成の立面図
【図２】（Ａ＋Ｂ）構成の立面図
【図３】（Ａ）構成の立面図
【図４】（Ａ）構成の上面図および下面図
【図５】（Ｂ＋Ｃ）構成の立面図
【図６】（Ａ＋Ｃ＋Ｄ）構成の立面図
【発明を実施するための最良の形態】
【００７４】
以下、本発明の実施の形態について、全構成要素からなる体内イオン比検知器「図１」の構成要素はつぎの通り。
【００７５】
導電性多面体１：
材質  導電性がよいこと。（銅、アルミニウムなど）
形状  体内イオン比検知器「図２」の支持部を兼ねるので、手指（親指および人指し指）末節掌側でそれぞれ対面支持し易いように接触面積が大きい軸対象の形状（多面体型（球型、リング型、鼓型、柱型を含む）、指輪型、指サック型など）とする。導電性多面体型（球型）構成の場合、一方の対面は凸面、他方の対面は凹面とすることによって、相対方向への引力に対して、凸面でもＣＬＯＳＥ、凹面でもＯＰＥＮすることを検知し易いようにするのが望ましい。導電性多面体１は自由結合部６および結合部８と着脱結合または一体化する。
【００７６】
導電性鎖２：
材質  導電性がよいこと。（銅、アルミニウムなど）
形状  自由度のある鎖状とし、両端は自由結合部６および自由結合部７と自由結合できること。
長さ  適度の長さ（５〜１０ｃｍ）が望ましい。短いほど反応が早く回転が速い。
長いほど反応が遅く、回転はゆっくりと安定的となる。
【００７７】
導電性錘３：
材質  導電性のよいこと。（銅、アルミニウムなど） 
形状  軸対象の円（または角）柱で先端は錐状が望ましい。
重さ  ある程度重い（１０〜３０ｇ前後）方が安定的に動作する。重すぎると回転動作が鈍くなる。軽すぎると動作が不安定となる。
大きさ  大きさには影響されないが、携帯用にはある程度小さい方が便利である。
【００７８】
導電性棒４：
材質  導電性がよいこと。（銅、アルミニウムなど）
形状  先端は皮膚に優しく接せられること。
結合部  導電性多面体１の結合部８または自由結合部６に着脱結合できること。
【００７９】
絶縁性被覆５：
材質  絶縁性がよいこと。（硬質ゴムなど）
形状  手で支持し易いこと。
結合  動電性棒４の一部を可動式で覆うのが望ましい。
【００８０】
自由結合部６：
材質  導電性がよいこと。（銅、アルミニウムなど）
形状  導電性鎖２を自由結合（交差結合）できるようリング状の導電性部材から成り、導電性多面体１または導電性棒４に着脱結合または一体化する。
【００８１】
自由結合部７：
材質  導電性がよいこと。（銅、アルミニウムなど）
形状 導電性鎖２と自由結合（交差結合）できるようリング状の導電性部材から成り、導電性錘３と一体化する。
【００８２】
結合部８：
材質  導電性がよいこと。（銅、アルミニウムなど）
形状  導電性多面体１および導電性棒４に着脱結合または一体化する。
【実施例１】
【００８３】
本発明の体内イオン比検知器（「図１」、「図２」、「図５」）の実施例：
【００８４】
支持方法：
１．非局所性イオン比  体内イオン比検知器「図２」の導電性多面体１を素手の手指（例えば、親指と人差し指）末節掌側で支持して吊り下げる。
２．全体の生体イオン比  体内イオン比検知器「図２」の場合、手指末節掌側および経穴部位以外（例えば、中指と薬指の基節中央部近傍の間）に導電性多面体１を挟み吊り下げる。体内イオン比検知器（「図１」または「図５」）の場合、医療検知者（検知者が被検知者と同じ場合は被検知者）が一方の手で絶縁被覆５を支持し、導電性棒４の先端を被検知者の手指末節掌側および経穴部位以外（例えば、中指と薬指の基節中央部近傍の間）に挟みながら吊り下げる。
３．臓器器官の生体イオン比  医療検知者（検知者と披検知者が同じ場合は被検知者）が体内イオン比検知器（「図１」または「図５」）の絶縁被覆５を手で支持し、導電性棒４の先端を被検知者の当該経穴部位に密着しながら吊り下げる。
【００８５】
始動方法：
１．無意識（日常的無意識）になる。
２．初めに、鉛直位置に静止させるか、軽く前後または左右に振ってみる。
３．体内イオン比ｆ（ＭＩ／ＰＩ）状態に対応した動作に自然に移行する。
４．否定的意識（無意識・肯定的意識のときの動作とは反対の状態・動作を意識）のとき、動作が反転することを確認する。
５．無意識に戻したとき、元の動作に戻ることを確認して、体内イオン比（即ち、生体イオン比、非局所性イオン比）をテストする。
【００８６】
確認方法：
１．無意識（日常的無意識）になる。
２．体内イオン比ｆ（ＭＩ／ＰＩ）状態に応じて右回転、左回転する。
ｆ（ＭＩ／ＰＩ）＞１のとき：右回転
ｆ（ＭＩ／ＰＩ）＜１のとき：左回転
３．全体の生体イオン比  検知者と被検知者が同じときは、被検知者が体内イオン比検知器「図２」を支持方法に従って吊り下げ、回転動作によって検知する。検知者と被検知者が異なるときは、医療検知者が支持方法に従って体内イオン比検知器（「図１」または「図５」）を吊るし、その回転動作によって検知する。
４．臓器器官の生体イオン比  検知者と被検知者が同じときは、被検知者が体内イオン比検知器（「図１」または「図５」）を支持方法に従って吊り下げ、回転動作によって検知する。検知者が被検知者と異なるときは、医療検知者が支持方法に従って体内イオン比検知器（「図１」または「図５」）を吊り下げ、その回転動作によって検知する。
５．被検知者が否定的意識（無意識・肯定的意識のとき状態と反対の状態を意識）のとき、動作が反転することを確認する。
【００８７】
動作環境：
体内イオン比検知器（「図１」、「図２」、「図５」）は、非局所性イオン場においてのみ動作する。従って、イオン化が希薄な環境においては動作をしない。一方、水のイオン化を検知する場合、検知者の身体または一方の手指をイオン化した水中に浸し、他方の手指末節掌側で支持懸垂した体内イオン比検知器は水中にあっても、空中に出しても同様な動作をする。このことは、水中のイオン数測定ができない現状にあって、水（飲料水・風呂水・シャワー水・プール水・温泉水・潅水など）のイオン化傾向、強いては生体に良い水かどうかを知る簡便な方法にも適用できる。
【実施例２】
【００８８】
本発明の体内イオン比検知器（「図１」、「図２」、「図３」、「図６」）の実施例： 
【００８９】
支持方法： 
１．非局所性イオン比  検知者の両手の手指（例えば、親指と人差し指）末節掌側で体内イオン比検知器（「図２」または「図３」）をそれぞれ対面支持する。
２．全体の生体イオン比：体内イオン比検知器（「図１」または「図６」）の何れかを用い、医療検知者（検知者が被検知者と同じ場合は被検知者）が一方の手で絶縁被覆５を支持し、導電性棒４の先端を被検知者の手指末節掌側および経穴部位以外（例えば、中指と薬指の基節中央部近傍の間）に触れながら、被検知者（または医療検知者の他方）の手指（例えば、親指と人差し指）末節掌側で導電性多面体１を対面支持する。
３．臓器器官の生体イオン比  体内イオン比検知器（「図１」または「図６」）の何れかを用い、医療検知者（検知者が被検知者と同じ場合は被検知者）が一方の手で絶縁被覆５を支持し、導電性棒４の先端を被検知者の臓器器官の当該経穴部位に触れながら、被検知者（または医療検知者の他方）の手指（例えば、親指と人差し指）末節掌側で導電性多面体１を対面支持する。
【００９０】
確認方法： 
１．無意識（日常的無意識）になる。
２．体内イオン比  体内イオン比検知器「３」の導電性多面体１の対面支持した両手を外側に引っ張ったときの手指の開閉動作によって検知する。
３．全体の生体イオン比  医療検知者（検知者が被検知者と同じ場合は被検知者）が支持方法に従って、体内イオン比検知器（「図１」または「図６」）の導電性多面体１の対面支持した手を軸と直角方向（または軸方向）に軽く引っ張ったときの手指の開閉動作によって検知する。導電性多面体１を対面支持せずに体内イオン比検知器「図１」として回転動作を検知したときと比較確認する。
４．臓器器官の生体イオン比  医療検知者（検知者が被検知者と同じ場合は被検知者）が支持方法に従って、体内イオン比検知器（「図１」または「図６」）の導電性多面体１の対面支持した手を軸と直角方向（または軸方向）に軽く引っ張ったときの手指の開閉動作によって検知する。Ｏリングにおける第三者に代わって機能するので、第三者を介在することなく、被検知者を直接に検査できる。導電性多面体１を対面支持せずに体内イオン比検知器「図１」として回転動作を検知したときと比較確認する。
５．前項２．、３．、４．において各体内イオン比検知器は、体内イオン比ｆ（ＭＩ／ＰＩ）状態に応じてつぎの通り手指の開閉動作、回転動作をする。
f（ＭＩ／ＰＩ）＞１のとき：ＣＬＯＳＥ、右回転
ｆ（ＭＩ／ＰＩ）＜１のとき：ＯＰＥＮ、左回転
６．被検知者が否定的意識（無意識・肯定的意識のときの状態とは反対の状態を意識）のとき、動作が反転することを確認する。
【００９１】
動作環境：
導電性多面体１における手指の開閉動作確認は非局所性イオン場で行う。検知者の身体をイオン化した水中に浸した場合、手指は水中にあっては滑り易すく、ＣＬＯＳＥのときでもＯＰＥＮと取り違えることがあるので、手指は空中に出して検知する。
【実施例３】
【００９２】
マイナスイオン発生扇風機（特願平１０−３１８２６６）の検証：
ただし、マイナスイオン特性を有する原素材（トルマリン＝電気石）を活用した加工素材として下記を使用している。
・加工素材：低温焼結多孔質セラミックボール
・材質：（「非特許文献９」参照）
・大きさ、個数：６〜７ｍｍφ、５４個入り
体内イオン比検知器「図２」による実験結果は、「表４」マイナスイオン発生扇風機（１）  （約２０ｍ2、５分間）、「表５」マイナスイオン発生扇風機（２）（約６０ｍ2、５分間）、「表６」マイナスイオン発生扇風機（３）（約２０ｍ2、３０分間）の通り。
【表４】
2010029339.tif 000004
ただし、ＭＩ、ＰＩ＝マイナスイオン、プラスイオン  ×1000 個／ｃｍ3
ＩＲ＝ＭＩ/ＰＩ  非局所性イオン比
ＩＲＲ＝ＩＲ２／ＩＲ１  ＩＲＲ＞１  非局所性イオン比の改善
ＨＲ＝Ｈ２％／Ｈ１％  ＨＲ＜１  湿度改善
【表５】
2010029339.tif 000005
【表６】
2010029339.tif 000006
「当該マイナスイオン発生器付き」の場合、弱モードのときは、マイナスイオン発生が少なく、ＩＲの改善は認められない。中・強モードのときは、マイナスイオン発生が増加し、プラスイオンが減少するため、ＩＲが若干改善傾向にあり、強モードほどその傾向がある。体内イオン比検知器「図２」は、何れのときも「発生器なし」のときは左回転、「発生器付き」のときは右回転することが検証された。このことから、体内イオン比検知器の回転方向は、非局所性イオン比の改善だけでなく、生体イオン比の改善に影響していると考えられる。即ち、この方式のマイナスイオンは、生体に良い影響を与えていることを示唆している。また、室内空間、風量によって適度な距離（２、３ｍ）を隔てた方が効果的であることが分る。何れの風量設定の場合でも、室内空間によらず５分間位では改善されないが、約２０ｍ２の室内空間で３０分間ほど稼働すると、ＩＲＲで１０％、ＨＲで２０％ほど改善された。
【実施例４】
【００９３】
マイナスイオン発生室内エアコン（特願平１０−３３１８４３）の検証：
マイナスイオン特性を有する原素材（トルマリン＝電気石）を活用した加工素材として下記を使用している。
加工素材：トルマリンサンドフィルター
材質：（「非特許文献９」参照）
大きさ：２３ｃｍ×２ｃｍ（両面貼り）、２セット
体内イオン比検知器「図２」による実験結果は、「表７」マイナスイオン発生室内エアコン（１）（約６０ｍ2、冷房、適湿２０℃、５分間）、「表８」マイナスイオン発生室内エアコン（２）（約６０ｍ2、冷房、多湿２５℃、５分間）、「表９」マイナスイオン発生室内エアコン（３）（約６０ｍ2、冷房、多湿２５℃、３０分間）の通り。
【表７】
2010029339.tif 000007
【表８】
2010029339.tif 000008
【表９】
2010029339.tif 000009
電気石の特性として適湿度よりもやや多湿度の方がマイナスイオンの発生が多く、距離の隔てに関わらずＩＲの改善が認められ、体内イオン比検知器「図２」は右回転する。適湿度のときは短時間的には湿度改善が認められない。「表８」では多湿度にも関わらずマイナスイオン発生があり、遠距離７ｍでもマイナスイオンが拡散することが分った。別日時に同程度の湿度のときに３０分間測定した結果、「表９」の通りＩＲＲ、ＨＲとも理想的に改善されることが分った。体内イオン比検知器「図２」は、非局所性イオン比ＩＲ１、ＩＲ２、即ち体内イオン比ｆ（ＭＩ／ＰＩ）に応じて左右に回転することが検証された。
【実施例５】
【００９４】
マイナスイオン発生車内エアコン（特願平１０−３３１８４４）の検証：
マイナスイオン特性を有する原素材（トルマリン＝電気石）を活用した加工素材として下記を使用している。
・加工素材：低温焼結多孔質セラミックボール
・材質：（「非特許文献９」参照）
・大きさ、個数：６〜７ｍｍφ、５４個入り（２セット）
体内イオン比検知器「図２」による実験結果は、「表１０」マイナスイオン発生車内エアコン（１）  外気（冷房、風量２、走行中）、「表１１」マイナスイオン発生車内エアコン（２）  外気（暖房、風量２、走行中）の通り。
【表１０】
2010029339.tif 000010
【表１１】
2010029339.tif 000011
外気モードの場合、車装備の発生する電磁場エネルギーに伴うプラスイオン化が多くなり、またマイナスイオン発生も多くなるため、ＩＲ２≧１傾向、ＩＲ改善が認められる。冷房、暖房のいずれの場合も湿度が高い方が、湿度改善が認められる。
ＭＩ発生器なしの場合、総じてプラスイオンの方が多く、ＭＩ／ＰＩ＜１となり、ｆ（ＭＩ／ＰＩ）＜１に即応するように体内イオン比検知器「図２」は左回転することが検証された。ＭＩ発生器を装備した場合は、総じてマイナスイオンが多く、ＭＩ／ＰＩ＞１に転じ、ｆ（ＭＩ／ＰＩ）＞１に即応するように右回転することが検証された。
【実施例６】
【００９５】
中立領域における実験結果は、「表１２」中立領域における体内イオン比検知器「図２」の動作（弱モード）の通り。
【表１２】
2010029339.tif 000012
ただし、ＴＶ１，ＦＮ２：テレビから１ｍ、「実施例３」の扇風機から２ｍのこと。
プラスイオン傾向となるテレビ、およびマイナスイオン傾向となる「実施例３」のマイナスイオン発生扇風機を相対に設置稼動したとき、その間の測定位置によって、プラスイオン傾向の領域では左回転、マイナスイオン傾向の領域では右回転、不安定領域では不安定回転、プラスイオン傾向・マイナスイオン傾向の境界領域では境界面に沿って単振動することが検証された。
【実施例７】
【００９６】
屋内環境における実験結果は、「表１３」屋内環境における体内イオン比検知器「図２」の動作の通り。
【表１３】
2010029339.tif 000013
屋内環境は、木造家屋、コンクリート家屋においては、密閉性が異なり、特に電化製品の稼動状況および場所によってもイオン傾向が異なるが、総じて、そのイオン傾向に従って体内イオン比検知器「図２」の回転方向が対応することが検証された。特に、気密で電化製品が稼動している住環境、就業密度が高くＯＡ機器稼動のオフィス環境においてはプラスイオン傾向となり、体内イオン比検知器「図２」は左回転することが検証された。
【実施例８】
【００９７】
屋外環境における実験結果は、「表１４」屋外環境における体内イオン比検知器「図２」の動作の通り。
【表１４】
2010029339.tif 000014
屋外環境では、「表１４」の通り、その環境のイオン傾向と体内イオン比検知器「図２」の回転動作が一致することがわかった。特に、適湿でも無風でムッとするようなとき、および放射性ガスが拡散しているようなときは、環境が良くても体内イオン比検知器「図２」は左回転し、イオン傾向はプラスイオン傾向にあることが検証された。
【実施例９】
【００９８】
各種飲料水における実験結果は、「表１５」各種飲料水における体内イオン比検知器「図
２」の動作の通り。
【表１５】
2010029339.tif 000015
注）・体内イオン比検知器「図２」の重錘から支持指まで、または他方の指を検体水に入れる。
・電気石活性水は、活性方式により活性度合いが異なる。    
水中のマイナスイオン数は、測定器が存在しないので空気マイナスイオン測定のように測定できないのが現状である。飲料水の良否判定のひとつとして酸化還元電位計での測定がある。しかし、飲料水のイオン傾向（陰陽イオンの各総和比）、強いては体内イオン比ｆ（ＭＩ／ＰＩ）への影響は、体内イオン比検知器「図２」を用いることで簡単に可能である。
体内イオン比検知器「図２」を支持懸垂した手指、または他方の手指を検知する飲料水を入れたコップに入れるだけで、検体水の非局所性イオン比（陰イオン総和／陽イオン総和）に応じて体内イオン比検知器「図２」が動作することを検証できる。
【実施例１０】
【００９９】
浴水における実験結果は、「表１６」浴水における体内イオン比検知器「図２」の動作の通り。
【表１６】
2010029339.tif 000016
注）検知水の含有成分の陰陽イオン、それぞれの総和比による。
注）体・指を検体水浴槽内入れ、体内イオン比検知器「図２」は水中に入れても、入れなくても良い。水中で動作することを確認する方がより確実である。
風呂水、プール水、温泉水の場合は、飲料水と同様に動作確認できるが、直接に裸体を沈めた方が経皮吸収の観点から確かな動作確認ができる。このとき、体内イオン比検知器「図２」は水中でも、空気中に出しても可能である。水の抵抗を考えると体内イオン比検知器「図２」が水中でも動作することは驚異的であるが、水がイオン化している限りは当然と言える。増幅された体外イオン比流がどれほど大きいかの証となる。このことは従来の常識では考えられない。
ただし、温泉水の場合、ラジウム温泉やラドン温泉ではホルミシス効果の範囲では右回転だが、放射線の線量当量、入浴時間によっては動作が変わる。
【実施例１１】
【０１００】
地下水脈・鉱脈の場合は、「表１７」地下水脈・鉱脈における体内イオン比検知器「図２」の動作の通り推測できる。
【表１７】
2010029339.tif 000017
電気石鉱脈、放射性鉱脈はこれらのイオン傾向と周辺の環境の非局所性イオン比との間に有意差があれば探索できる可能性がある。
地下浅層で乱流をなすような地下水脈上、電気石の鉱脈上、放射線が強く放射されている放射性鉱脈上などで、イオン放出によって周辺の非局所性イオン比に比して顕著に異なるときは、「表１７」のように検知できるものと推測される。
【実施例１２】
【０１０１】
化学添加物における動作は、「表１８」化学添加物における体内イオン比検知器「図２」の動作の通り推測できる。  
【表１８】
2010029339.tif 000018
化学添加物質から発するイオン量による非局所性イオン比や、同時発生有害物質量によって、検知者にとって質的・量的に無害か有害かを判断できる。このことは、Ｏリングの応用分野「非特許文献６」としては従来から検証されている。本論によれば、体外イオン比流に起因するので、体内イオン比検知器でも同様に動作する。
【実施例１３】
【０１０２】
生体イオン比、体内イオン比と非局所性イオン比の関係は、「表１９」生体イオン比、体内イオン比と非局所性イオン比の関係の通り。  
【表１９】
2010029339.tif 000019
手指末節掌側の体外イオン比流方向に応じた体内イオン比検知器「図２」を確認することによって、生体イオン比ＩＲＩｂおよび検知者がいる非局所性イオン比ＭＩ／ＰＩに対応した体内イオン比ｆ（ＭＩ／ＰＩ）を簡単に知ることができる。更に、それが非局所性イオン比によるのか、生体イオン比によるのか、より確実に知るためには、組織液イオン比流の影響を検知する必要がある。そのためには、手指末節掌側および経穴部位以外（例えば中指と薬指の基節中央部近傍の間）で体内イオン比検知器「図２」を吊り下げたとき非局所性イオン比の変化に即応しないので生体イオン比を検知できる。その上、手指末節掌側での体内イオン比検知器「図２」の動作確認から体内イオン比をチェックすると、「表１９」の通り非局所性イオン比を推測できる。
【実施例１４】
【０１０３】
健康状態における動作は、「表２０」健康状態における体内イオン比検知器「図２」の動作の通り推測できる。  
【表２０】
2010029339.tif 000020
ただし、ＭＩ、ＰＩはマイナスイオン発生源、プラスイオン発生源
検知者は、体内イオン比検知器「図２」の支持部位（基節または末節）における動作を、イオン発生接触物質を変えながら確認すると、「表２０」の通り健康状態を判断する目安となり得るものと推測される。ただし、医学的な観点から専門分野の検証が必要である。
【実施例１５】
【０１０４】
経穴部位における動作は、「表２１」経穴部位における体内イオン比検知器（「図１」または「図５」）の動作の通り推測できる。  
【表２１】
2010029339.tif 000021
体内イオン比と因果関係のある異常臓器器官の場合、陽イオンが当該組織細胞から組織液に漏洩して当該経絡を通じて流れ、当該経穴部位の体内イオン比流増幅機能において、経絡の組織液イオン比流のイオンが逆比例的に増幅され放出される。また手指末節掌側および経穴部位以外（例えば中指と薬指の基節中央部近傍の間）で体内イオン比検知器「図２」を懸垂したときは、生体イオン比ＩＲＩｂ、即ち経絡以外の一般組織液イオン比流によって動作する。体内イオン比検知器「２」を中指と薬指の基節中央部近傍の間、および当該経穴部位で支持懸垂したときの動作を併せて確認すると当該臓器器官の生体イオン比を推測できる。推測される臓器器官に対応する当該経穴部位に支持懸垂したとき、左回転すれば、明らかに当該経穴に対応する臓器器官がイオンバランス的に崩れているものと推測される。ただし、医学的な観点から専門分野の検証が必要である。
【実施例１６】
【０１０５】
意識状態における動作（１）は、「表２２」意識状態における体内イオン比検知器「図２」の動作（１）の通り。  
【表２２】
2010029339.tif 000022
体内イオン比の観点からすると、無意識・肯定的意識状態では、体内イオン比がｆ（ＭＩ／ＰＩ）＞１（陰イオン傾向）のときは副交換神経が働きアセチルコリン様（アセチルコリンの放出を受け、副次的に放出されるコリン性）の神経修飾物質が作用し、ｆ（ＭＩ／ＰＩ）＜１（陽イオン傾向）のときは交換神経が働きカテコルアミン様（カテコルアミンの放出を受け、副次的に放出されるアミン性）の神経修飾物質が作用すると考えられる。しかし、否定的意識が働くと意識スイッチ機能の働きによって、神経修飾物質がそれぞれ逆転して作用する。その結果、体内イオン比検知器「図２」の動作は、同じ検知者、同じ環境、即ち同じ体内イオン比状態にも関らず、無意識・肯定的意識状態と否定的意識状態とでは、瞬時のうちに慣性に抗して逆動作することになる。この現象は、生体イオン比は瞬時には変わらないので、非局所性イオン比が逆転しない限り、検知者の意識状態によって作用する神経修飾物質が逆転するためである。そして意識状態を解除すると、無意識状態のもとの動作に戻る。更に意識状態を同じにしたとき動作に再現性がある。
【０１０６】
意識状態による動作（２）は、「表２３」意識状態による体内イオン比検知器「図２」の動作（２）の通り。  
【表２３】
2010029339.tif 000023
不安定意識では肯定、否定どちらつかずの不安定動作、意識的に肯定・否定意識を交互に繰り返す（実際には単振動を意識する）中立意識では単振動動作をする。非意識状態（例えば、停止指令のような本能的な危機回避意識）では意識・無意識状態に優先して停止する。異常意識が正常意識と連続的だとすれば、何らかの原因によっても異常意識を一時的に体感できることになる。逆に、異常意識が意識状態のひとつの形態とすれば、自律神経、即ち神経修飾物質に何らかの異常が生じる筈なので、体内イオン比検知器はそれらに対応した異常動作をすることになる。
【実施例１７】
【０１０７】
本発明の体内イオン比検知器によるウソ発見技術は、従来の技術に替わる高度な「ウソ発見器」、「精神分析器」として応用できる。
【産業上の利用可能性】
【０１０８】
体内イオン比検知器（「図１」、「図２」、「図５」のいずれか）の動作および体内イオン比検知器（「図１」、「図２」、「図３」、「図６」のいずれか）を手指末節掌側で対面を相対または外側に引っ張ったときの指先の開閉動作には、体内イオン比（即ち、生体イオン比および非局所性イオン比の相乗積）および意識が関わっているので、体内イオン比検知器の応用分野は多岐に及ぶ。
【０１０９】
即ち、新科学領域(外気力―重力変換理論、体内イオン比（気）学、意識・無意識の解明、意識認知科学、東西医学の部分融合など)の確立ができる。併せて、体内イオン比に関わる生体未科学現象（ホメオスタシス・マイナスイオンの生体影響、ダウジング（占い振り子、Ｌロッド）、Оリング、意識・無意識、気・経絡・経穴など）の謎を解くことができる。
【０１１０】
本発明の活用例として、屋内・車内・癒し空間・屋外の環境調査、マイナスイオン発生素材・発生商品調査、飲料水・入浴水・潅水調査、化学物質添加物調査、地下水脈・鉱脈探査、健康検査・患部探査、意識・無意識探査（嘘発見器・精神分析器、占いへの活用）などが可能となる。
【符号の説明】
【０１１１】
１ 導電性多面体 
２ 導電性鎖
３ 導電性錘
４ 導電性棒 
５ 絶縁性被覆
６ 自由結合部
７ 自由結合部
８ 結合部